(57)【要約】【課題】  印刷物を確実に受け取れることを保証できる画像形成装置を提供することを課題とする。【解決手段】  プリントを指示したユーザの個人識別情報と関連付けてプリントジョブを登録し、登録されたプリントジョブを実行してプリント物を排紙トレイ上に出力し、プリントジョブを出力する際、印刷物上に個人識別情報と関連付いた印刷物識別情報を付加し、実行済のプリントジョブのデータを記憶し、排紙トレイ上の印刷物から印刷物識別情報を認識し、出力手段によって出力されたプリント物を取りに来たユーザの個人識別情報を入手し、ユーザが排紙トレイから印刷物を持ち出す際、個人識別情報と印刷物識別情報を認識し、それぞれの識別情報が異なる場合、前記記憶手段に記憶されている実行済のプリントジョブのうち、印刷物に関連付けられたプリントジョブを再実行し、それぞれの識別情報が一致する場合、登録されたプリントジョブを消去する。【選択図】  図１
2006159674.tif 000002
【特許請求の範囲】
【請求項１】
プリントを指示したユーザの個人識別情報と関連付けてプリントジョブを登録する登録手段と、
登録されたプリントジョブを実行して印刷物を排紙トレイ上に出力する出力手段と、
プリントジョブを出力する際、印刷物上に個人識別情報と関連付いた印刷物識別情報を付加する付加手段と、
実行済のプリントジョブのデータを記憶する記憶手段と、
排紙トレイ上の印刷物から印刷物識別情報を認識する認識手段と、
前記出力手段によって出力されたプリント物を取りに来たユーザの個人識別情報を入手する個人識別情報入手手段と、
ユーザが排紙トレイから印刷物を持ち出す際、個人識別情報と印刷物識別情報を認識し、それぞれの識別情報が異なる場合、前記記憶手段に記憶されている実行済のプリントジョブのうち、印刷物に関連付けられたプリントジョブを再実行する再実行手段と、それぞれの識別情報が一致する場合、登録されたプリントジョブを消去する制御手段と、
を備えていることを特徴とする画像形成装置。
【請求項２】
前記個人識別情報入手手段は、前記画像形成装置の本体に配置され、画像形成装置の管理エリア内で、前記ユーザの個人識別情報を格納する個人識別端末との間で無線通信可能であることを特徴とする、請求項１に記載の画像形成装置。
【請求項３】
前記付加手段は、予め印刷物上に設けられた個人識別情報格納装置に対し、前記画像形成装置の本体内の個人識別情報格納手段により格納することを特徴とする、請求項１に記載の画像形成装置。
【請求項４】
前記識別情報は、非接触ICに格納されており、画像形成装置に搭載の非接触IC読み取り手段により読み取れることを特徴とする、請求項１に記載の画像形成装置。
【請求項５】
前記排紙トレイから印刷物が持ち出されたことの認識は、印刷物が前記読み取り手段で通信可能範囲外に持ち出されて、印刷物識別情報に通信ができなくなったことにより行う印刷物持ち出し認識手段を備えることを特徴とする、請求項１及び請求項２に記載の画像形成装置。
【請求項６】
前記印刷物識別情報には、付加された印刷物が出力された印刷物のうち何ページ目であるかを示すページ情報を含むことを特徴とする、請求項１に記載の画像形成装置。
【請求項７】
前記印刷物持ち出し認識手段により、印刷物が通信可能範囲外に持ち出されたことを認識した際、持ち出された印刷物のうち、個人識別情報と印刷物識別情報とが一致しないページ情報に関するプリントジョブのみ再実行することを特徴とする、請求項１及び請求項４に記載の画像形成装置。
【請求項８】
前記再実行手段により、プリントジョブの再実行が行われた際には、前記個人識別情報入手手段により再実行が行われたユーザがプリント物を取りに来たことを認識した場合に、再実行が行われた旨をユーザに通知する通知手段を含むことを特徴とする、請求項１に記載の画像形成装置。
【発明の詳細な説明】
【技術分野】
【０００１】
本発明は画像形成装置に関する。
【背景技術】
【０００２】
周知のように、会社やオフィス等に導入されているプリンタ等の画像形成装置は、複数のユーザが共有できるように、各ユーザのパーソナルコンピュータにネットワークを介して接続されることが多く、上記複数のユーザが各パーソナルコンピュータを介して指示した各ジョブを受け付けるとともに、記憶手段に一旦記憶し、前記受け付け順にジョブの処理を実行できるようになっている。
【０００３】
従来、このような画像形成装置として、例えば、特許文献１等には、原稿等の画像情報とコピー枚数等のジョブ情報を記憶し、ジョブ実行中や処理待ち等のジョブ進行状況を操作部の表示部に表示する他、記憶部からジョブを消去可能にした技術や、実行順を変更可能にした技術が開示されている。
【特許文献１】特開２０００−２９６４４号公報
【発明の開示】
【発明が解決しようとする課題】
【０００４】
ところで、ユーザが自分のコンピュータ等からプリント指示した後、プリンタの排紙トレイ上に排出されたプリント物を取りに行った際に、既に誰かが誤ってプリント物を持ち去ってしまい、排紙トレイ上に残っていない場合がある。
【０００５】
しかし、上記公知例を含めて従来のものは、一旦プリントアウトされると記憶されていた画像データが消失してしまうものであった。このため、プリント物を取りに行ったユーザは、前記コンピュータの所まで戻って、再度、入力操作を行ってプリント指示しなければならず、二度手間になる。
【０００６】
また、特開２００３−２０５６５０には、実行済のプリントジョブを記憶しておき、プリントジョブを実行したユーザが、排紙トレイ上に出力した印刷物がなくなっているのを確認した場合に、操作部指定により装置内に記憶されているプリントジョブが再実行を可能にする技術が公開されているが、大部数の印刷物を出力した場合に、一部のページのみ持ち去られた場合には、持ち去られたことをユーザ自身が確認するのが困難であり、また持ち去られたページのみ記憶されたプリントジョブを再実行することができないという問題点がある。
【０００７】
本発明は、上記実情に鑑みてなされたものであり、出力された印刷物が他のユーザによって持ち去られた場合に、持ち出された印刷物をページ単位で認識し、持ち出されたページのプリントジョブを再実行させて、装置まで取りに来たユーザが印刷物を確実に受け取れることを保証できる画像形成装置を提供することを課題としている。
【課題を解決するための手段】
【０００８】
請求項１記載の画像形成装置は、プリントを指示したユーザの個人識別情報と関連付けてプリントジョブを登録する登録手段と、登録されたプリントジョブを実行してプリント物を排紙トレイ上に出力する出力手段と、プリントジョブを出力する際、印刷物上に個人識別情報と関連付いた印刷物識別情報を付加する手段と、実行済のプリントジョブのデータを記憶する記憶手段と、排紙トレイ上の印刷物から印刷物識別情報を認識する手段と、前記出力手段によって出力されたプリント物を取りに来たユーザの個人識別情報を入手する個人識別情報入手手段と、ユーザが排紙トレイから印刷物を持ち出す際、個人識別情報と印刷物識別情報を認識し、それぞれの識別情報が異なる場合、前記記憶手段に記憶されている実行済のプリントジョブのうち、印刷物に関連付けられたプリントジョブを再実行する再実行手段と、それぞれの識別情報が一致する場合、登録されたプリントジョブを消去する制御手段と、を備えていることを特徴とする。
【０００９】
請求項２記載の画像形成装置は、前記個人識別情報入手手段は、前記画像形成装置の本体に配置され、画像形成装置の管理エリア内で、前記ユーザの個人識別情報を格納する個人識別端末との間で無線通信可能であることを特徴とする。
【００１０】
請求項３記載の画像形成装置は、前記付加手段は、予め印刷物上に設けられた個人識別情報格納装置に対し、前記画像形成装置の本体内の個人識別情報格納手段により格納することを特徴とする。
【００１１】
請求項４記載の画像形成装置は、請求項１記載の画像形成装置において、前記識別情報は、非接触ICに格納されており、画像形成装置に搭載の非接触IC読み取り手段により読み取れることを特徴とする。
【００１２】
請求項５記載の画像形成装置は、前記排紙トレイから印刷物が持ち出されたことの認識は、印刷物が前記読み取り手段で通信可能範囲外に持ち出されて、印刷物識別情報に通信ができなくなったことにより行うことを特徴とする。
【００１３】
請求項６記載の画像形成装置は、前記印刷物識別情報には、付加された印刷物が出力された印刷物のうち何ページ目であるかを示すページ情報を含むことを特徴とする。
【００１４】
請求項７記載の画像形成装置は、前記印刷物持ち出し認識手段により、印刷物が通信可能範囲外に持ち出されたことを認識した際、持ち出された印刷物のうち、個人識別情報と印刷物識別情報とが一致しないページ情報に関するプリントジョブのみ再実行することを特徴とする。
【００１５】
請求項８記載の画像形成装置は、前記再実行手段により、プリントジョブの再実行が行われた際には、前記個人識別情報入手手段により再実行が行われたユーザがプリント物を取りに来たことを認識した場合に、再実行が行われた旨をユーザに通知する通知手段を含むことを特徴とする。
【発明の効果】
【００１６】
本発明の画像形成装置によれば、排紙トレイに出力した印刷物を他のユーザに持ち去られた場合でも、ユーザが画像形成装置に取りに来た際には、常に所望の印刷物が出力されており、わざわざ端末に戻ってプリントを再実行したり、画像形成装置上で新たな操作を行ったりする必要もなく、確実に自分が出力した原稿を取得できる。
【発明を実施するための最良の形態】
【００１７】
以下、この発明の一実施形態を図面に基づいて説明する。
【００１８】
（実施例）
図１は、この発明の一実施形態に係る画像形成装置が適用された画像形成システムを示す概略構成図である。
【００１９】
図１において、この画像形成システムは、ユーザ106が所有する携帯端末107と、画像形成装置200とを備えている。
【００２０】
前記携帯端末107は、該携帯端末の所有者であるユーザ106の個人識別（ＩＤという）情報を保有しており、画像形成装置200からＩＤ情報が求められた際には、保有しているＩＤ情報を無線通信方式や赤外線通信方式等の非接触方式で送信するものである。このような携帯端末107としては、例えばＲＦＩＤ（Ｒａｄｉｏ Ｆｒｅｑｕｅｎｃｙ Ｉｄｅｎｔｉｆｉｃａｔｉｏｎ）、非接触ＩＣカード、携帯電話、携帯情報端末（ＰＤＡ）等が挙げられる。
【００２１】
前記画像形成装置200は、例えば複写機、ファクシミリ（ＦＡＸ）、プリンタ、スキャナ等が挙げられるが、ここでは、前記複写機、ＦＡＸ、プリンタおよびスキャナ等の各機能を集約したＭＦＰ（Ｍｕｌｔｉ Ｆｕｎｃｔｉｏｎ Ｐｅｒｉｐｈｅｒａｌｓ）を例にしてある。
【００２２】
この画像形成装置200は、非接触通信20方式としての近距離無線通信方式により、一定の通信エリア104内にいるユーザ所有の携帯端末107から送信されたユーザ106のＩＤ情報の信号を受信可能である。
【００２３】
１０３はユーザ１０６が所有するコンピュータやワークステーション等の端末であり、ＬＡＮ等のネットワーク回線１０５を介して画像形成装置２００に接続されている。ユーザ１０６は１０３からプリント指示をすることにより、画像形成装置200から所望のプリント物を得られる。ユーザ１０６がプリント指示した際、１０３から画像データを表すプリントジョブとともに携帯端末１０７に保有されているのと同様のＩＤ情報が、プリントジョブと関連付けられて画像形成装置200内に格納される。
【００２４】
また、この画像形成装置200では、プリントされる用紙101として、ＩＣタグ102付き原稿を使用することが可能である。この用紙を使用することにより、プリント物101上に画像データを生成すると共に、プリント物101上のＩＣタグ１０２にＩＤ情報を格納することができる。さらに、このＩＣタグ１０２には、画像形成装置200から通信を行うことができ、ＩＣタグ１０２内に格納された情報を読み出すことが可能である。画像形成装置200はＩＣタグ１０２内のＩＤ情報とユーザ106が所有するＩＤ情報とを比較することにより、ユーザ106がプリント物を出力した本人であるか否かを判断できる。
【００２５】
図２は、画像形成装置200の内部を詳しく表したブロック図である。
【００２６】
図２における画像形成装置２００は、原稿画像を読み取るイメージリーダ部２０１と、イメージリーダ部２０１で読み取った画像データを再現するプリンタ部２０２とに大きく分けられる。イメージリーダ部２０１は、400dpi（dots／inch）の解像度で原稿を読み取り、デジタル信号処理を行う部分である。プリンタ部２０２は、イメージリーダ部２０１によって読み取られた原稿画像に対応した画像を1200dpiの解像度で指定用紙にフルカラープリント出力する部分である。イメージリーダ部２０１において、原稿台ガラス（以下、プラテン）２０３上の原稿２０４は、ランプ２０５で照射され、ミラー２０６，２０７，２０８に導かれ、レンズ２０９によって、集光された光を電気信号に変換する３ラインセンサ（以下、ＣＣＤ）２１０上に像を結び、フルカラー情報レツド（Ｒ）、グリーン（Ｇ），ブルー（Ｂ）成分として信号処理部２１１に送られる。なお、２０５，２０６を固定しているキヤリツジは速度ｖで、２０７，２０８は速度１／２ｖでラインセンサの電気的走査（主走査）方向に対して垂直方向に機械的に動くことによって、原稿全面を走査（副走査）する。読み取られた画像は、不図示のメモリ内部に格納されていく。次にメモリ内部から再び画像データが読みだされ、信号処理部２１１においては、読み取られた画像信号を電気的に処理し、マゼンタ（Ｍ），シアン（Ｃ），イエロー（Ｙ），ブラツク（Ｂｋ）の各成分に分解し、プリンタ部２０２に送る。また、イメージリーダ部２０１における一回の原稿走査につき、Ｍ、Ｃ、Ｙ、Ｂｋのうちひとつの成分がプリンタ部２０２に送られ、計４回の原稿走査によって、一回のプリントアウトが完成する。イメージリーダ部２０１より送られてくるＭ、Ｃ、Ｙ、Ｂｋの各画像信号は、レーザドライバ２１２に送られる。レーザドライバ２１２は、送られてきた画像信号に応じ、半導体レーザ２１３を変調駆動する。レーザ光は、ポリゴンミラー２１４，ｆ−θレンズ２１５，ミラー２１６を介し、感光ドラム２１７上を走査する。２１８は回転現像器であり、マゼンタ現像部２１９、シアン現像部２２０、イエロー現像部２２１、ブラツク現像部２２２より構成され、４つの現像部が交互に感光ドラム２１７に接し、感光ドラム上に形成された潜像現像をトナーで現像する。２２３は転写ドラムであり、用紙カセツト２２４または２２５より供給される用紙をこの転写ドラム２２３に巻き付け、感光ドラム上に現像された像を用紙に転写する。この様にして、Ｍ、Ｃ、Ｙ、Ｂｋの４色が順次転写された後に、用紙は定着ユニツト２２６を通過して、トナーが用紙に定着された後に、排紙トレイ２２７上に排紙される。
【００２７】
図３は前記ＭＦＰにおける、紙などの記録媒体に印字を行うプリンタ部の電気信号を処理する部分の構成を詳細に示したものである。３１０はCPUで、プリンタの各部の制御を行うためのものである。３０２はRAMであり前記CPUが演算した結果や、プリンタが扱う画像データなどを一時的に記憶しておくためのものである。詳細には、イメージリーダ部２０１から読み込んだ画像データ、あるいはパーソナルコンピュータやワークステーションから送信されてきた画像データに対して、ユーザ106によって指定されたモード等に基づいて画像処理を行う他に、画像処理済みのプリントジョブを該ジョブと共に入力されあるいは送信されてきたユーザＩＤ情報と関連付けて記憶・登録したり、実行済プリントジョブの画像データを記憶・保存するようになっている。さらには、後述するRFIDリーダライタ部３１７により入手したユーザＩＤ情報等の各種データを記憶するものである。
【００２８】
３０３はROMであり、前記CPUが動作するためのプログラムや、画像データを生成するためのフォントデータなどが格納されている。３０４は、前記CPU、RAM、ROMが接続されているローカルバスである。３０５はI/Oバスであり、機能拡張用の内部Busである。３０６は前記ローカルバスとI/Oバスを接続するためのブリッジ回路である。
【００２９】
３０７はプリンタ部で、紙などの記録媒体に画像を形成するための部分である。電子写真方式やバブルジェット（登録商標）方式など様々な形式のプリンタ部が存在する。３０８はプリンタインターフェース部であり、前記プリンタ部とI/Oバスを接続するためのものであり、CPUの指示に従って３０２のRAMに格納されている画像データを３０７のプリンタ部へ転送することが可能である。さらに画像データと関連付けられたユーザＩＤ情報を転送し、図示しないＩＣタグ書き込み手段により、プリント物用紙上のＩＣタグに書き込みを行う。
【００３０】
３０９はハードディスクドライブであり、画像データのスプールを行ったり、３０１のCPUが様々の処理を行うためのプログラムなどを格納させておくためのものである。３１１はネットワークインターフェースコントローラであり、図１の105に示したローカルエリアネットワークへ接続するために使用され、ユーザ毎に割り当てられた図示しないパーソナルコンピュータやワークステーションから送信されてきた画像データもしくはコードデータを受信するものである。
【００３１】
３１２は、イメージプロセッシングユニット（以下IPU）であり、解像度変換などの画像処理を行うためのものである。３１３はラスタイメージプロセッサであり、３０１のCPUの指示により、３１１のネットワークインターフェース回路を経由して外部から転送されたページ記述言語の画像データをビットマップ画像へ展開し、３０２のRAMへ展開したビットマップデータを格納するために使用される。
【００３２】
３１４はビデオRAMで、CPUにより外部のCRTやLCDパネルに表示した表示データが書き込まれるものである。３１５はビデオインターフェースであり、VRAMに格納されている表示データを外部のCRTやLCDパネルに表示するためのインターフェースをするためのものである。
【００３３】
３１７はRFIDリーダライタ部であり、後述するRFIDに対して無線通信によりデータを読み書きするためのものである。具体的には、前記通信エリア３内の携帯端末107に対してデータや信号の授受を行うためのものであり、前記通信エリア３内に存在しているユーザ106の携帯端末107に対して、ユーザ106のＩＤ情報の入手要求信号を発信するとともに、前記携帯端末107から送信されたＩＤ情報の信号を受信する。
【００３４】
また、３０１のCPUの指示により、ジョブ受け付け順や処理順を管理する他に、前記排紙部２９の近傍、つまり所定通信エリア３内にいるユーザ所有の携帯端末107からのユーザＩＤ情報を前記RFIDリーダライタ部３１７を介して入手して、ユーザ106のＩＤ情報を特定する機能を有する。
【００３５】
また、３０１のCPUの指示により、プリント物に付加されたＩＣタグ１０２から、前記ＩＣタグ書き込み手段により書き込まれたユーザＩＤ情報とを前記RFIDリーダライタ部３１７を介して入手する機能を有する。さらに、前記排紙トレイ２２７上のプリント物を取りに来たユーザ106のＩＤ情報と同一のＩＤ情報を有する実行済プリントジョブが、プリントジョブ記憶部２２０に存在するか否かを判断する機能をも有している。携帯端末107とプリント物上のＩＤ情報が一致し、かつ前記通信エリア３を離れ通信不可となった場合に、プリント物を出力した本人がプリント物を持ち出したと認識し、実行済プリントジョブのデータを前記３０２のRAMから消去する。一方、携帯端末107とプリント物上のＩＤ情報が一致しない場合には、プリント物を他のユーザにより持ち出されたと認識し、実行済プリントジョブのデータの記憶を保持させるとともに、プリントジョブを再実行させる機能を有している。
【００３６】
図５において、原稿読み取り部に取り付けられた非接触ICの読み取り、または書き込みを行うためのリーダライタ部500の詳細な説明を行う。リーダライタ部500は、600の非接触IC部に対して電波を送信するための送信アンテナ部501と、送信アンテナから送信する電波の変調を行うための変調回路502と、600の非接触IC部から送られてくる電波を受信するための受信アンテナ部503、503の受信アンテナ部より受信した信号を復調するための復調回路504、また501の送信アンテナ部と、502の変調回路、503の受信アンテナ部、504の復調回路を制御するための制御部505と、上位機器との通信を行うI/F部506と、送信アンテナ部501に接続され、600の非接触ICへの電力供給を行う電源507から構成される。
【００３７】
前記制御部505は、外部からの指示により502の変調回路を用いて電力を供給するための電波および、送信するデータを変調して、501の送信アンテナ部より外部へ電波を送信する。また、外部より受信した電波信号を、503の受信アンテナ部で受信して、504の復調回路によって復調したのち、データ信号として扱えるように変換することが可能である。
【００３８】
図６において、非接触IC部600の詳細な説明を行う。非接触IC部600は、601の不揮発性メモリ、602の電波を送受信するためのアンテナ部と、603の共振コンデンサ部、604の電源の整流・平滑を行うための電力形成部と、605の電波の変調、復調を行うための復変調部、606の制御部とから構成される。
【００３９】
602のアンテナ部は、603の共振コンデンサと組み合わされ、共振回路を構成できるようになっている。外部から電力を供給するための電波信号が送られることにより、これを共振回路で受けとって、前記604に示される電力形成部へ供給し、604の電力生成部は600の非接触ICを動作させるための電力を供給することが可能となる。前記電力は、601の不揮発性メモリや、605の復変調回路へ供給される。606の制御部は、600の非接触IC部の制御を行うためのものである。
【００４０】
外部から、電力を供給するための電波とあわせて、非接触IC部から読み出す、または書き着込むためのデータも同時に送受信され、600の非接触IC部へ送られてきた信号は、605の復変調回路によって、復調され606の制御部を介して、601の不揮発性メモリへ記憶される。また、606の制御部によって、601の不揮発性メモリから読み出されたデータは、605の復変調回路によって変調され、602のアンテナ部から電波信号として送信可能である。
【００４１】
次に、画像形成装置200で行われるプリントジョブの再実行処理および消去処理の流れを図４のフローチャートで説明する。
【００４２】
ユーザ106が、例えばコンピュータ103から画像形成装置200に対してプリント指示すると、Ｓ４０１では、CPU３１０がプリント指示であることを認識し、プリントジョブをユーザＩＤ情報と関連付けて前記ＲＡＭ302に記憶させる。さらに、Ｓ４０２では、そのプリントジョブをＩＰＵ312で画像処理させた後、プリンタ307に用紙へのプリントを実行させ、プリント物上のＩＣタグにユーザＩＤ情報を書き込んだ後、排紙トレイ227にプリント物を排出させる。
【００４３】
この後、ユーザ106が携帯端末107を所有して、自分のプリント物を取りに来て前記通信エリア104内に入ったときに、Ｓ４０3で、CPU３１０は、ＲＦＩＤリーダライタ部317にユーザ106のＩＤ情報を入手させる。このＩＤ情報の入手処理については後述する。
【００４４】
Ｓ４０４では、ユーザ106が排紙トレイ227からプリント物を取り出し、通信エリア104外に出た場合、Ｓ４０５でCPU３１０は通信不能となったプリント物のＩＣタグに格納されていたユーザＩＤ情報と、携帯端末107のユーザＩＤ情報とを比較する。
【００４５】
ユーザＩＤ情報が一致した場合には、自分のプリント物を取り出して立ち去ったものと判断し、Ｓ４０６にてＲＡＭ302に格納されていたユーザ106に関連付けられたプリントジョブを消去する。
【００４６】
ユーザＩＤ情報が一致しない場合には、他人のプリント物を取り出して立ち去ったものと判断し、Ｓ４０７にてＲＡＭ302に格納されていたユーザ106に関連付けられたプリントジョブを再実行する。
【００４７】
（その他の実施形態）
上述の実施形態では、プリント物上のＩＣタグ１０２にユーザのＩＤ情報のみを格納する例について示したが、福数ページのプリント物の場合、ユーザのＩＤ情報と共にページ情報も書き込む構成にしても良い。
【００４８】
その際、画像形成装置２００はＩＣタグ１０２に通信を行うことで、ユーザのＩＤ情報と共にページ情報も認識することができる。
【００４９】
本構成にすることで、福数ページの原稿のうち、一部のページを他のユーザが持ち去った場合、CPU３１０はどのページを持ち去ったかを認識することができ、持ち去られたページについてのみ、ＩＤ情報に関連付けられたプリントジョブを再実行することができる。
【００５０】
なお、前記ユーザＩＤ情報の入手は、前記実施形態のように、携帯端末１を使うものに限らず、ユーザ自身が画像形成装置200の操作部から入力する形態であってもよい。
【００５１】
また、ユーザＩＤ情報に対応する実行済プリントジョブの消去を、ユーザが通信エリア104から退出したタイミングで行うものとしたが、消去タイミングはこれに限定されることはない。
【００５２】
さらに、プリントの再実行が行われた際には、再実行が行われたプリント物を取りに来たユーザをＩＤ情報より認識すると、画像形成装置200の操作部に表示する等の制御を行い、再実行が行われた旨を伝える制御を行うことで、本発明の利便性を向上させることができる。
【図面の簡単な説明】
【００５３】
【図１】この発明の一実施形態に係る画像形成装置が適用された画像形成システムを示す概略構成図
【図２】画像形成装置の内部を詳細に表したブロック図
【図３】プリンタコントローラ内部を詳細に表したブロック図
【図４】本画像形成システムの制御手順を示すフローチャート
【図５】非接触ICリーダライタの内部を詳しく表したブロック図
【図６】非接触IC内部を詳しく表したブロック図
【符号の説明】
【００５４】
２００  画像形成装置
１０１  プリント物
１０２  プリント物上ＩＣタグ
１０３  ユーザ所有コンピュータ端末
１０４  通信エリア
１０５  ネットワーク回線
１０６  ユーザ
１０７  携帯端末
【図１】
2006159674.tif 000003
【図２】
2006159674.tif 000004
【図３】
2006159674.tif 000005
【図４】
2006159674.tif 000006
【図５】
2006159674.tif 000007
【図６】
2006159674.tif 000008